(57)【特許請求の範囲】
【請求項１】
吸引風を発する電動送風機を内設し、前記電動送風機より排出される排気を大気へ排出する排気口を備えた掃除機本体において、前記排気口の一部もしくは全部に、着脱自在で、排気下流側を布材にて覆われた枠部材を備え、前記布材と前記枠部材はその全周を一体化されるとともに、前記布材と前記枠部材の間にクッション材を設け、前記布材で掃除機本体の外郭の一部を構成し、前記クッション材と前記布材を固定部材にて前記枠部材に固定する電気掃除機。
【請求項２】
固定部材は、布材側に凸部を有し、前記凸部をクッション材と布材に貫通させた後、前記凸部と枠部材を熱溶着により固着することで、枠部材とクッション材、布材とを固定する部材である請求項１記載の電気掃除機。
【請求項３】
固定部材は、布材側に凸部を有し、前記凸部をクッション材と布材に貫通させた後、前記凸部と枠部材をプッシュナットにより固定することで、枠部材とクッション材、布材とを固定する部材である請求項１記載の電気掃除機。
【請求項４】
クッション材は、通気性を有する立体織りのネットとした請求項１〜３のいずれか１項に記載の電気掃除機。
【発明の詳細な説明】
【０００１】
【発明の属する技術分野】
本発明は、掃除機本体から排出される排気を分散させ低風速にすることのできる電気掃除機に関するものである。
【０００２】
【従来の技術】
従来の電気掃除機を、図９、図１０を用いて説明する。
【０００３】
図において、１０１は掃除機本体であり、前部に集塵室１０２、後部に電動送風機１０３を内設した電動送風機室１０４を有する。この集塵室１０２内に集塵袋１０５が着脱自在に取り付けられている。電動送風機室１０４の後部に排気口１０６があり、電動送風機１０３による排気１０７が排出される。排気口１０６には着脱自在な排気口ユニット１０８が取り付けられる。ここで、排気口ユニット１０８は枠部材１０９と、その排気下流を覆い全周を溶着等により一体化された布材１１０とからなり、その間にはウレタン等のクッション材１１１が挟み込まれている。また、枠部材１０９の排気上流側には微細な塵埃を取り除くための静電フィルター１１２が枠部材１０９と着脱自在に取り付けられている。排気口ユニット１０８は排気口１０６に爪１１３等で着脱自在に取り付けられているため、静電フィルター１１２を取り外した後、水洗いをすることができる。枠部材１０９については、掃除機本体１０１の外郭としての強度と、布材１１０を貼り付けるための枠としての役割があり通常格子形状である。布材１１０は紡績布であり、織り目の小さな孔が排気１０７の出口であり、同じ排気口面積に構成された樹脂成形品による小さな孔に比較して十分多く、また排気面積自体も広い。樹脂で形成する排気口の孔は外郭の機械強度を確保するために隣接する孔との距離を十分とる必要があるため実際の排気孔が排気口部分に占める割合を開口率として、開口率が５０％以下となることが一般的である。つまり、布材１１０による排気口は、排気風速（ｍｍ／ｓｅｃ）＝排気量（ｍｍ３／ｓｅｃ）／排気面積（ｍｍ２）の式からも分かるように、排気風速を低減することができる。また、排気後部の排気風速を下げるということは、排気による風きり音の低減ができるため低騒音化につながる。布材１１０の材質は耐熱温度や耐磨耗性を考慮して６ナイロンや６６ナイロンが使われており、布材１１０に防カビ加工や防菌加工が施されているものもある。ウレタン等のクッション材１１１はバンパーとしての役割と触った時のソフト感を持たせると同時に、排気１０７に圧損を与え排気１０７が布材全体から均一に出るようにしている。
【０００４】
【発明が解決しようとする課題】
このような従来の電気掃除機においては、排気１０７の熱や圧力、排気口ユニット１０８の水洗いにより、布材１１０が伸びて弛んでしまう。掃除機の運転時には、布材１１０が排気１０７の下流側に膨らんでしまうため、家具の角等に引っかかり易くなり布材１１０が破ける可能性がある。また、クッション材１１１のウレタンは水洗い時に水を含み乾燥しにくいのと、塵埃が目詰まりを起こし排気圧損の上昇につながり布材１１０の膨らみを助長する。
【０００５】
本発明は、上記従来の課題を解決するものであり、耐久性の高い布材による排気口を持つ電気掃除機を提供することを目的とする。
【０００６】
【課題を解決するための手段】
上記目的を達成するために本発明は、吸引風を発する電動送風機を内設し、前記電動送風機より排出される排気を大気へ排出する排気口を備えた掃除機本体において、前記排気口の一部もしくは全部に、着脱自在で、排気下流側を布材にて覆われた枠部材を備え、前記布材と前記枠部材はその全周を一体化されるとともに、前記布材と前記枠部材の間にクッション材を設け、前記布材で掃除機本体の外郭の一部を構成し、前記クッション材と前記布材を固定部材にて前記枠部材に固定する電気掃除機で、布材が枠部材に保持されているため布材が膨らみにくい。
【０００７】
【発明の実施の形態】
本発明の請求項１記載の発明は、吸引風を発する電動送風機を内設し、前記電動送風機より排出される排気を大気へ排出する排気口を備えた掃除機本体において、前記排気口の一部もしくは全部に、着脱自在で、排気下流側を布材にて覆われた枠部材を備え、前記布材と前記枠部材はその全周を一体化されるとともに、前記布材と前記枠部材の間にクッション材を設け、前記布材で掃除機本体の外郭の一部を構成し、前記クッション材と前記布材を固定部材にて前記枠部材に固定する電気掃除機で、布材が枠部材に保持されているため布材が膨らみにくい。
【０００８】
本発明の請求項２記載の発明は、固定部材は、布材側に凸部を有し、前記凸部をクッション材と布材に貫通させた後、前記凸部と枠部材を熱溶着により固着することで、枠部材とクッション材、布材とを固定する部材であるもので、固定部材の保持の強度が高く、安価である。
【０００９】
本発明の請求項３記載の発明は、固定部材は、布材側に凸部を有し、前記凸部をクッション材と布材に貫通させた後、前記凸部と枠部材をプッシュナットにより固定することで、枠部材とクッション材、布材とを固定する部材であるもので、布材と枠部材の間にクッションが入ったもので、固定部材を枠部材に取り付ける際、固定部材を枠部材に十分押し付けて取り付けすることができる。
【００１０】
本発明の請求項４記載の発明は、クッション材は、通気性を有する立体織りのネットとしたもので、低圧損であり、また水洗い時に水を含むこともない。
【００１１】
【実施例】
（実施例１）
以下本発明の第１の実施例を、図１、図２を用いて説明する。
【００１２】
図において、１は掃除機本体であり、前方部に集塵室２、後方部に吸引風を発する電動送風機３を内設した電動送風機室４を有している。この集塵室２内に塵埃を集塵する集塵袋５が着脱自在に取り付けられている。電動送風機室４の後部に電動送風機３から排出される排気を大気へ放出する排気口６がある。前記排気口６には、着脱自在な排気口ユニット８が取り付けられている。前記排気口ユニット８は、枠部材９と、その排気下流側を覆い全周を溶着等により一体化された布材１０と、その間に挟み込まれているクッション材１１と、クッション材１１と布材１０を貫通して枠部材９とを固定する固定部材１４とからなる。また、枠部材９の排気上流側には、微細な塵埃を取り除くための静電フィルター１２が枠部材９と着脱自在に取り付けられている。排気口ユニット８は排気口６に爪１３等で着脱自在に取り付けられているため、静電フィルター１２を取り外した後、水洗いをすることができる。静電フィルター１２はプリーツ織りしたＨＥＰＡ素材などでもよく、掃除機本体１に直接着脱自在に取り付けられることもある。
【００１３】
枠部材９については、掃除機本体１の外郭としての強度と、布材１０を貼り付けるための枠としての役割があり通常格子形状である。布材１０の織り目の小さな孔が排気７の出口であり、同じ排気口面積に構成された樹脂成形品による小さな孔に比較して十分多く、また排気面積自体も広い。樹脂で形成する排気口の孔は外郭の機械強度を確保するために隣接する孔との距離を十分とる必要があるため実際の排気孔が排気口部分に占める割合を開口率として、開口率が５０％以下となることが一般的である。つまり、布材１０による排気口は、排気風速（ｍｍ／ｓｅｃ）＝排気量（ｍｍ３／ｓｅｃ）／排気面積（ｍｍ２）の式からも分かるように排気風速を低減することができる。また排気後部の排気風速を下げるということは、排気７による風きり音の低減ができるため低騒音化につながる。布材１０の材質は耐熱温度や耐磨耗性を考慮してナイロンやポリエチレンが使われているが、掃除機本体１から着脱可能で水洗い可能なタイプには、水分による膨洵を考えるとポリエチレンが好ましい。値段的にもナイロンに比較してポリエチレンは安価である。また、布材１０は不織布や紡績布が使われる。コスト的には不織布が有利であるが、外観の表現や風合いを出すために紡績布を使うこともある。布材１０に防カビ加工や防菌加工が施されているものもある。
【００１４】
固定部材１４の凸部１５は、クッション材１１と布材１０を貫通して枠部材９の孔に差し込まれ、その先端を熱等によって潰され枠部材９に固定されることでクッション材１１と布材１０を枠部材９に固定し、排気７による圧力で排気下流側に布材１０が膨らむことを防いでいる。この時、布材１０は半田ごて等で事前にほつれ止めを施した孔を空けられる。固定部材１４はバッチ状で外観側に刻印やホットスタンプなどで商標やメーカー名、訴求ポイントやマークなどを入れることができるため外観上のアクセントを兼ねることができる。ここでは商品の訴求ポイントである“ＭＡＳＫ”の文字を刻印で入れた。また固定部材１４は、掃除機本体１が立てて使われた時のことを考えると、固定部材１４が床面と擦れたり当たったりすることで傷つかないよう、布材１０の表面とほぼ同じか窪んでいるほうが望ましい。
【００１５】
クッション材１１はバンパーとしての役割と触った時のソフト感を持たせると同時に、排気７に圧損を与え排気７が布材全体から均一に出るようにしている。ここで、クッション１１材は排気７の圧力を受けにくくするため、立体織りのネットとした。エアコンでフィルターとして使われているＰＰのネットが汎用的で安価であり、防カビ、抗菌など複数のタイプが市場に出回っているので好ましい。ＰＰのネットなので排気口ユニット８を水洗いした時もウレタンと比較すると水を含んだり縮んだりすることが無く、水洗いに適している。
【００１６】
（実施例２）
以下、本発明の第２の実施例を、図３を用いて説明する。なお、上記実施例と同一の部品については同一符号を付してその説明を省略する。
【００１７】
クッション材１１と布材１０を貫通して枠部材９とを固定する固定部材は排気口ユニット８の長手方向に長いリブ体１５である。ここでは、１本のリブであるが複数本でもよく、また十字上に布材１０を押さえても良い。バッチ状に比べるとリブ体１５のほうが押さえる面積が広いため布材１０の圧損が大きい時に、効果的に膨らみ防止の対策となる。
【００１８】
（実施例３）
以下本発明の第３の実施例を、図４を用いて説明する。なお、上記実施例と同一の部品については同一符号を付してその説明を省略する。
【００１９】
クッション材１１と布材１０を貫通して枠部材９とを固定する固定部材１４は、ツメ１９を先端に持ち、ツメ１９により枠体に留められる。組み立て性において一番簡単で作業性が良い。また、固定部材１４が排気口ユニット８より着脱自在であるため、異なるタイプのバッヂに付け替え外観の変化を楽しむことができる。
【００２０】
（実施例４）
以下本発明の第４の実施例を、図５を用いて説明する。なお、上記実施例と同一の部品については同一符号を付してその説明を省略する。
【００２１】
クッション材１１と布材１０を貫通して枠部材９とを固定する固定部材１４の凸部１５を枠部材９の孔１８に通しプッシュナット２０やスピードナットを凸部１５に差し込み固定する。クッション材１１の反発力等を加減して布材の１０表面とほぼ同じか窪めた位置に固定部材１４の表面を持って来ようとする時に適した保持方法である。クッション性の強い材料をクッション材１１に選んだ時にも、プッシュナット２０を強く押し込めば簡単にクッション材１１の反発を押さえつけ固定部材１４を枠部材９に取り付けることができる。
【００２２】
（実施例５）
以下本発明の第５の実施例を、図６を用いて説明する。なお、上記実施例と同一の部品については同一符号を付してその説明を省略する。
【００２３】
クッション材１１と布材１０を貫通して枠部材９とを固定する固定部材は繊維や針金等の糸２１で枠部材９と縫い付けてある。糸２１の強度を考えると複数箇所留める必要があるが、布材１０と同色の糸を使用すれば外観上に固定部材がめだたないため、布のデザインを優先する時に用いる。糸２１で布材１０に文字やデザインを書いてその一部が枠部材９まで縫い付けることも可能である。
【００２４】
（実施例６）
以下本発明の第６の実施例を、図７、８を用いて説明する。なお、上記実施例と同一の部品については同一符号を付してその説明を省略する。
【００２５】
枠部材９を排気下流側から覆う布材１０とを全周を溶着等にて一体化した排気口ユニット８において、枠部材９の外周を保持する枠体２２から布材１０の排気下流側に複数の固定部であるリブ２３を設けた。枠体２２はほぼ全周でフィルターユニット８をカエリ２４で抱いて保持している。リブ２３にて布材１０の膨らみ防止とするのと、枠体２２により布材１０の端部の摩耗を防止し耐久性を向上させている。特に図示していないが、バッヂを止めたように布材１０の一部に孔を開け、リブ２３と枠部材９との固定も可能である。また、枠体２２からツメを設け掃除機本体に取り付ける構成は布材の外部にツメを設けることができるため自由度が高いこともメリットである。
【００２６】
【発明の効果】
以上のように本発明によれば、掃除機本体の排気口において、排気口の一部もしくは前面を布で覆い排気風速を低減させた構成を持つものに関して、布材と枠部材を固定部材で固定することで、布材が排気の下流側に膨らむのを防止し、耐久性を向上することができる。
【図面の簡単な説明】
【図１】本発明の第１の実施例を示す電気掃除機の斜視図
【図２】同電気掃除機の部分断面図
【図３】本発明の第２の実施例を示す電気掃除機の斜視図
【図４】本発明の第３の実施例を示す電気掃除機の排気口ユニットの断面図
【図５】本発明の第４の実施例を示す電気掃除機の排気口ユニットの断面図
【図６】本発明の第５の実施例を示す電気掃除機の排気口ユニットの断面図
【図７】本発明の第６の実施例を示す電気掃除機の斜視図
【図８】同電気掃除機の排気口ユニットの断面図
【図９】従来の電気掃除機の斜視図
【図１０】同排気口ユニットの断面図
【符号の説明】
１  掃除機本体
３  電動送風機
６  排気口
９  枠部材
１０  布材
【図１】
0003589223.tif 000002
【図２】
0003589223.tif 000003
【図３】
0003589223.tif 000004
【図４】
0003589223.tif 000005
【図５】
0003589223.tif 000006
【図６】
0003589223.tif 000007
【図７】
0003589223.tif 000008
【図８】
0003589223.tif 000009
【図９】
0003589223.tif 000010
【図１０】
0003589223.tif 000011